(57)【要約】【課題】掃除過程で掃除機本体が食卓や椅子のような室内の施設用品にひっかかることや、保管の際に外観を害するなどの問題を軽減し、ビルトイン構成によって注意力の不足な乳児との接触を減らして安全事故を減らし、さらに靴箱の悪臭を外部に排出することにより、衛生環境を改善するビルトイン掃除機を提供する。【解決手段】真空圧を発生させる真空モーターを収納するモーター収納部と、異物が含まれた空気を吸い込み、異物を濾過する集塵袋を収納する集塵袋収納部と、前記集塵袋収納部に空気を吸い込む吸気部と、を備え、前記吸気部、集塵袋収納部及びモーター収納部は掃除機本体の内部に設置される。【選択図】  図３
0003164241.tif 000002
【実用新案登録請求の範囲】
【請求項１】
真空圧を発生させる真空モーターを収納するモーター収納部と、
異物が含まれた空気を吸い込み、異物を濾過する集塵袋を収納する集塵袋収納部と、
前記集塵袋収納部に空気を吸い込む吸気部と、を備え、
前記吸気部、前記集塵袋収納部及び前記モーター収納部は、掃除機本体の内部に設置されていることを特徴とするビルトイン掃除機。
【請求項２】
前記モーター収納部の上端一側には、異物が濾過された空気が排出される排気口が形成されたことを特徴とする、請求項１に記載のビルトイン掃除機。
【請求項３】
前記吸気部は、
前記集塵袋収納部に連結される第１配管連結口と、
前記第１配管連結口の一側に連通される第２配管連結口と、
前記第１配管連結口の他側に連通される第３配管連結口と、を備えることを特徴とする、請求項１に記載のビルトイン掃除機。
【請求項４】
前記第１配管連結口には、中央ダクトラインと連結された第１吸気口が配管とともに連結されることにより、前記第１吸気口の開放動作によって前記ビルトイン掃除機を中央集塵式掃除機として使用できることを特徴とする、請求項３に記載のビルトイン掃除機。
【請求項５】
前記第２配管連結口には第２吸気口が設置されることにより、前記第２吸気口に連結された掃除機ホースによって前記ビルトイン掃除機を中央集塵式掃除機として使用できることを特徴とする、請求項３に記載のビルトイン掃除機。
【請求項６】
前記排気口に連結設置され、靴箱内の悪臭を排出する悪臭排出手段をさらに備えることを特徴とする、請求項２に記載のビルトイン掃除機。
【請求項７】
前記悪臭排出手段は、
前記排気口に垂直方向に立設されたベンチュリ管と、
一端部が前記ベンチュリ管に連通され、他端部が前記靴箱に連結された連結配管と、を備えることを特徴とする、請求項６に記載のビルトイン掃除機。
【請求項８】
前記連結配管の端部に設けられ、前記靴箱内の悪臭を迅速に排出する補助排気ファンをさらに備えることを特徴とする、請求項７に記載のビルトイン掃除機。
【請求項９】
真空圧を発生させる真空モーターを収納するモーター収納部と、
異物が含まれた空気を吸い込み、異物を濾過する集塵袋を収納する集塵袋収納部と、
前記集塵袋収納部に連結される第１配管連結口と、前記第１配管連結口の一側に連通される第２配管連結口と、前記第１配管連結口の他側に連通される第３配管連結口とを備える、前記集塵袋収納部に空気を吸い込む吸気部と、を備え、
前記吸気部、前記集塵袋収納部及び前記モーター収納部は、掃除機本体の内部に設置されていることを特徴とするビルトイン掃除機。
【請求項１０】
前記モーター収納部の上端一側には、異物が濾過された空気が排出される排気口が形成されたことを特徴とする、請求項９に記載のビルトイン掃除機。
【請求項１１】
前記第１配管連結口には、中央ダクトラインと連結された第１吸気口が配管とともに連結設置され、前記第１吸気口にはモーターダンパーが設置され、前記配管の端部は靴箱に連結されていることにより、前記モーターダンパーの開放動作によって前記靴箱の悪臭が掃除機の外部に排出されることを特徴とする、請求項９に記載のビルトイン掃除機。
【考案の詳細な説明】
【技術分野】
【０００１】
本考案は、ビルトイン掃除機に関し、特に用途によって中央集塵式掃除機または壁掛け型掃除機として使用可能であり、掃除機の配管を靴箱に連結して靴箱の悪臭を外部に排出するように構成されたビルトイン掃除機に関するものである。
【背景技術】
【０００２】
一般に、図１に示すような従来の一般電気掃除機３０は、吸気ファン（図示せず）を内蔵した本体と、本体の先端に設けられ、掃除の際、自由に動けるように皺管からなる吸気皺管３１と、吸気皺管の一側に設けられ、前記吸気ファンの駆動を制御して吸入力を調節するコントロール部を備えた取っ手部３２と、取っ手部の一側に設けられ、作業者の身体と作業空間に合わせて長さ調節可能な多段伸縮管３３と、多段伸縮管の一側に設けられ、ほこり及び異物を捕集する吸気案内部３４と、を有している。
【０００３】
前記電気掃除機３０は、カーペットが敷かれた居間の床などのほこりを吸気作用によって吸い込んで掃除し、室内の隅々を掃除するのに便利になっており、広い居間を掃除するときは、電気ケーブルの端部に連結されたプラグを壁面に設置されたコンセントに差し込み、隅々まで移動しながらほこりをすっかり吸い込む。また、小型電気掃除機のような場合には、限定された体積に電気ケーブルを内蔵する構造は困難であるため、主に充電式を採用している。
【０００４】
この際、前記電気掃除機３０は、掃除過程で、本体が室内に設置された食卓や椅子、ソファー、敷居、おもちゃなどに引っかかって掃除に邪魔になり、保管の際は外観を害する問題点があった。
【０００５】
また、前記小型電気掃除機は体積が小さいから、普通部屋の隅や、たんすの上端に位置させて保管することになるので、こぎれいではなくて外観を害する問題点があった。
【０００６】
また、注意力の不足な乳児の行動範囲が、保管中の電気掃除機または小型電気掃除機と接触しやすい範囲であるので、安全事故が頻繁に発生する問題点があった。
【０００７】
一方、多数の履物を保管する靴箱は、前方に開かれる開閉門が備えられ、密閉ケースの内部に所定の仕切りが形成されて履物収納空間が形成される。しかし、このような従来の靴箱は、換気が円滑でないため、靴箱の内部から悪臭がし、湿気によってかびが発生して衛生的に清潔でない問題点があった。
【考案の概要】
【考案が解決しようとする課題】
【０００８】
本考案は、前記のような従来技術の問題を解決するためになされたもので、本考案の目的は、掃除過程で掃除機本体が食卓や椅子のような室内の施設用品に引っかかることや、保管の際に外観を害するなどの問題を軽減することができるビルトイン掃除機を提供することにある。
【０００９】
本考案の他の目的は、ビルトインで構成することにより、注意力の不足な乳児との接触を減らして安全事故を減らすことができるビルトイン掃除機を提供することにある。
【００１０】
本考案のさらに他の目的は、靴箱の悪臭を外部に排出することにより、衛生環境を改善できるビルトイン掃除機を提供することにある。
【課題を解決するための手段】
【００１１】
前述したような目的を達成するために、本考案は、真空圧を発生させる真空モーターを収納するモーター収納部と、異物が含まれた空気を吸い込み、異物を濾過する集塵袋を収納する集塵袋収納部と、前記集塵袋収納部に空気を吸い込む吸気部と、を備え、前記吸気部、集塵袋収納部及びモーター収納部は掃除機本体の内部に設置されるビルトイン掃除機を提供する。
【００１２】
本考案において、前記モーター収納部の上端一側には、異物が濾過された空気が排出される排気口が形成されることができる。
【００１３】
本考案において、前記吸気部は、前記集塵袋収納部に連結される第１配管連結口と、前記第１配管連結口の一側に連通される第２配管連結口と、前記第１配管連結口の他側に連通される第３配管連結口とを備えることができる。
【００１４】
本考案において、前記第１配管連結口には、中央ダクトラインと連結された第１吸気口が配管とともに連結されることにより、前記第１吸気口の開放動作によって前記ビルトイン掃除機を中央集塵式掃除機として使用できる。
【００１５】
本考案において、前記第２配管連結口には第２吸気口が設置されることにより、前記第２吸気口に連結された掃除機ホースによって前記ビルトイン掃除機を中央集塵式掃除機として使用できる。
【００１６】
本考案において、前記排気口に連結設置され、靴箱内の悪臭を排出する悪臭排出手段をさらに含むことができる。
【００１７】
本考案において、前記悪臭排出手段は、前記排気口に垂直方向に立設されたベンチュリ管と、一端部が前記ベンチュリ管に連通され、他端部が前記靴箱に連結された連結配管と、を備えることができる。
【００１８】
本考案において、前記連結配管の端部に設けられ、前記靴箱内の悪臭を迅速に排出する補助排気ファンをさらに備えることができる。
【００１９】
本考案において、前記第１配管連結口には、中央ダクトラインと連結された第１吸気口が配管とともに連結設置され、前記第１吸気口にはモーターダンパーが設置され、前記配管の端部は靴箱に連結されていることにより、前記モーターダンパーの開放動作によって前記靴箱の悪臭が掃除機の外部に排出されることができる。
【考案の効果】
【００２０】
前述したような本考案のビルトイン掃除機においては、次のような効果がある。
【００２１】
第一、掃除機がビルトインで構成されて住宅または建物の壁面に設置されるため、掃除過程で掃除機本体が食卓や椅子のような室内の施設用品にひっかかることや、保管の際に外観を害するなどの問題を減少させる。
【００２２】
第二、掃除機がビルトインで設置されるので、注意力の不足な乳児との接触を減らして安全事故を減少させる。
【００２３】
第三、必要によって掃除機の配管を靴箱に連結する場合、靴箱の悪臭を外部に排出することにより、衛生環境が改善される。
【図面の簡単な説明】
【００２４】
【図１】従来の一般電気掃除機の一例を示す斜視図である。
【図２】本考案に係るビルトイン掃除機の一側斜視図である。
【図３】図２のビルトイン掃除機のカバーが開放した状態の斜視図である。
【図４】本考案に係るビルトイン掃除機の他側斜視図である。
【図５】図４のビルトイン掃除機のカバーが開放した状態の斜視図である。
【図６】本考案に係るビルトイン掃除機に靴箱悪臭排出手段が設置された状態を示す斜視図である。
【図７】本考案に係るビルトイン掃除機の第１配管連結口に第１吸気口が配管とともに設置された状態を示す斜視図である。
【図８】本考案の第１実施の形態に係るビルトイン掃除機の作動状態を示す模式図である。
【図９】本考案の第１実施の形態に係るビルトイン掃除機の作動状態を示す模式図である。
【図１０】本考案の第２実施の形態に係るビルトイン掃除機の作動状態を示す模式図である。
【考案を実施するための形態】
【００２５】
以下、添付図面に基づいて本考案の好適な実施の形態に係るビルトイン掃除機を説明する。以下で使用する用語や単語は通常的か辞書的な意味に限定して解釈されてはいけなく、考案者は自分の考案を最善の方法で説明するために用語の概念を適切に定義することができるという原則に従って本考案の技術的思想に合う意味と概念に解釈されなければならない。
【００２６】
［第１実施の形態］
図２は本考案に係るビルトイン掃除機の一側斜視図、図３は図２のビルトイン掃除機のカバーが開放した状態の斜視図、図４は本考案に係るビルトイン掃除機の他側斜視図である。
【００２７】
また、図５は図４のビルトイン掃除機のカバーが開放した状態の斜視図、図６は本考案に係るビルトイン掃除機に靴箱悪臭排出手段が設置された状態を示す斜視図、図７は本考案に係るビルトイン掃除機の第１配管連結口に第１吸気口が配管とともに設置された状態を示す斜視図である。
【００２８】
図２〜図７に示すように、本考案の第１実施の形態に係るビルトイン（ｂｕｉｌｔ−ｉｎ）掃除機は、掃除機本体１１０の内部にモーター収納部１２０と、集塵袋収納部１３０と、吸気部１４０とを備え、ビルトインで住宅または建物の壁面に設置される。
【００２９】
これにより、掃除過程で掃除機本体が食卓や椅子のような室内の施設用品にひっかかることや、保管の際に外観を害するなどの問題を減少させ、注意力の不足な乳児との接触を減らして安全事故を減少させることができる。
【００３０】
前記掃除機本体１１０は、図２〜図７に示すように、３段構造の多段形態のもので、下部から上部に向かって吸気部１４０、集塵袋収納部１３０、モーター収納部１２０がそれぞれ順次配設されている。
【００３１】
前記モーター収納部１２０は、図２〜図７に示すように、掃除機本体１１０の上端に位置し、内部に真空圧を発生させる真空モーター１２２が収納され、モーター収納部１２０の上端一側には、ほこりなどの異物（図示せず）が濾過（ｆｉｌｔｅｒｉｎｇ）された空気が排出されるための排気口１２４が形成されている。未説明符号１２６はカバーである。
【００３２】
前記集塵袋収納部１３０は、図２〜図７に示すように、前記掃除機本体１１０の中央に位置し、内部には異物を濾過する集塵袋１３２が収納され、集塵袋収納部１３０の一側上端には異物が濾過された空気を排出するための空気吐出口（図示せず）が形成されている。未説明符号１３４はカバーである。
【００３３】
前記吸気部１４０は、図２〜図７に示すように、前記掃除機本体１１０の下端に位置して前記集塵袋収納部１３０に空気を吸い込み、第１配管連結口１４２が前記集塵袋収納部１３０に連結され、前記第１配管連結口１４２の一側に第２配管連結口１４４が連通し、前記第１配管連結口１４２の他側に第３配管連結口１４６が連通している。
【００３４】
この際、前記第１配管連結口１４２には、中央ダクトライン（ｄｕｃｔ ｌｉｎｅ）（図示せず）と連結された第１吸気口１４２ａが配管１４２ｂとともに連結され、前記第２配管連結口１４４には第２吸気口１４４ａが連結されている。
【００３５】
図８及び図９は、第１実施の形態に係るビルトイン掃除機の作動状態を示す模式図であり、参考として図８では、吸気部１４０が集塵袋収納部１３０の下部に位置する代わりに、集塵袋収納部１３０の側部に位置している。図８を参照すると、前記第２及び第３配管連結口１４４、１４６を閉め、前記第１吸気口１４２ａを開放することにより、中央ダクトラインの空気が前記配管１４２ｂと集塵袋収納部１３０に流入した後、集塵袋１３２によって異物が濾過され、濾過された空気は前述した空気吐出口とモーター収納部１２０を通り、前記排気口１２４を通じてビルトイン掃除機の外部に排出され（矢印で表示）、このような動作によってビルトイン掃除機を中央集塵式掃除機として使用することが可能である。
【００３６】
また、前記第１及び第３配管連結口１４２、１４６を閉め、前記第２吸気口１４４ａを開放した後、前記第２吸気口１４４ａに外部の掃除機ホースを連結する場合、空気が前記配管１４２ｂを通して集塵袋収納部１３０に流入した後、集塵袋１３２によって異物が濾過され、濾過された空気は空気吐出口とモーター収納部１２０を通り、前記排気口１２４を通じて掃除機の外部に排出され、これによりビルトイン掃除機を壁掛け型として使用することが可能である。
【００３７】
一方、図９に示したように、本考案に係るビルトイン掃除機は、前記排気口１２４に連結されて靴箱１７０内の悪臭を排出する悪臭排出手段をさらに有する。この際、前記悪臭排出手段は、ベンチュリ管（ｖｅｎｔｕｒｉ ｔｕｂｅ）１６０が前記排気口１２４に垂直方向に立設され、連結配管１６２の一端部が前記ベンチュリ管１６０に連通し、連結配管１６２の多端部は靴箱１７０に連結されている。
【００３８】
これにより、異物が濾過された空気が前記空気吐出口とモーター収納部１２０を通り、前記排気口１２４を通じてビルトイン掃除機の外部に排出される過程で、靴箱内の悪臭が前記連結配管１６２とベンチュリ管１６０を通して異物の濾過された空気とともに排出される。このように、靴箱の悪臭を掃除機の外部に排出することによって、衛生環境が改善される。
【００３９】
この際、前記連結配管１６２の端部に別途の補助排気ファン１６４をさらに設置する場合、前記靴箱１７０内の悪臭をより迅速に外部に排出することが可能である。
【００４０】
［第２実施の形態］
図１０は、本考案の第２実施の形態に係るビルトイン掃除機の作動状態を示す模式図である。第２実施の形態に係るビルトイン掃除機は、第１実施の形態で説明した掃除機本体１１０、モーター収納部１２０、集塵袋収納部１３０及び吸気部１４０の構成は同様である。未説明符号１４６ａは第３吸気口、１４６ｂは配管である。
【００４１】
この際、第２実施の形態においては、前記第１吸気口１４２ａにモーターダンパー（ｍｏｔｏｒ ｄａｍｐｅｒ）２５０が設置され、前記配管１４２ｂの端部は靴箱１７０に連結されている。
【００４２】
これにより、前記第２配管連結口１４４を閉め、前記第３配管連結口１４６を開放すると、外部の空気が前記配管１４２ｂと集塵袋収納部１３０に流入した後、集塵袋１３２で異物が濾過される。濾過された空気は、前述した空気吐出口とモーター収納部１２０を通り、前記排気口１２４を通じて掃除機の外部に排出される。このような過程で、掃除機本体１１０に設けられた靴箱換気ボタン（図示せず）を押すと、前記換気ボタンに連結された前記モーターダンパー２５０の開放動作によって前記靴箱１７０の悪臭が前記濾過された空気とともに掃除機の外部に排出される。
【００４３】
以上のように本考案に係るビルトイン掃除機を図面に基づいて説明したが、本明細書に開示された実施の形態と図面によって本考案が限定されるものではなく、本考案の技術思想範囲内で当業者によって多様な変形が可能である。
【産業上の利用可能性】
【００４４】
本考案は用途によって中央集塵式掃除機または壁掛け型掃除機として使用可能であり、掃除機の配管を靴箱に連結して靴箱の悪臭を外部に排出するように構成されたビルトイン掃除機に適用可能である。
【符号の説明】
【００４５】
１１０    掃除機本体
１２０    モーター収納部
１２２    真空モーター
１２４    排気口
１３０    集塵袋収納部
１３２    集塵袋
１４０    吸気部
１４２    第１配管連結口
１４４    第２配管連結口
１４６    第３配管連結口
１５０    掃除機ホース
１６０    ベンチュリ管
【図１】
0003164241.tif 000003
【図２】
0003164241.tif 000004
【図３】
0003164241.tif 000005
【図４】
0003164241.tif 000006
【図５】
0003164241.tif 000007
【図６】
0003164241.tif 000008
【図７】
0003164241.tif 000009
【図８】
0003164241.tif 000010
【図９】
0003164241.tif 000011
【図１０】
0003164241.tif 000012